(57)【要約】【課題】光ケーブル１０の端末を固定する固定台１２上で光ケーブル端末が回転しないようにする。固定台１２を小型化する。【解決手段】光ケーブル端末の抗張力線２０を挿入する孔２６を有し、孔２６に挿入された抗張力線２０にネジ２４で固定される引留ブロック２２と、この引留ブロック２２を光ケーブル方向に移動しないように保持する固定台１２とを備えた光ケーブル端末固定具である。引留ブロック２２の、抗張力線挿入孔２６及びネジ２４を含む平面に関して対称な両側面に、ネジ２４と同方向に、凹溝２８を形成する。固定台１２に、引留ブロック２２がセットされる部分の両側で相対するように、一対の側壁３０を形成し、この二つの側壁３０の内面に、前記引留ブロックの凹溝２８とスライド係合する凸条３４形成する。【選択図】      図１
2004212840.tif 000002
【特許請求の範囲】
【請求項１】
光ケーブル端末の抗張力線を挿入する孔を有し、孔に挿入された抗張力線にネジで固定される引留ブロックと、この引留ブロックを光ケーブル方向に移動しないように保持する固定台とを備えた光ケーブル端末固定具において、
前記引留ブロックの、抗張力線挿入孔及びネジを含む平面の両側又は片側の側面に、ネジと同方向に、凹溝又は凸条を形成し、
前記固定台に、前記引留ブロックがセットされる部分の両側で相対するように一対の側壁を形成し、この一対の側壁の内面に、前記引留ブロックの凹溝又は凸条とスライド係合する凸条又は凹溝を形成した、
ことを特徴とする光ケーブル端末固定具。
【請求項２】
請求項１記載の光ケーブル端末固定具であって、引留ブロックの抗張力線挿入孔は抗張力線と接地線の両方を挿入できる大きさとし、抗張力線に引留ブロックを固定するネジを抗張力線挿入孔方向に間隔をあけて２つ設け、光ケーブル側のネジで抗張力線挿入孔に挿入された抗張力線を締め付け、他方のネジで抗張力線挿入孔に抗張力線と反対側から挿入された接地線を抗張力線と共に締め付けるようにしたことを特徴とする光ケーブル端末固定具。
【発明の詳細な説明】
【０００１】
【発明の属する技術分野】本発明は、光ケーブルの端末を函体の背面板などに固定するのに用いる光ケーブル端末固定具に関するものである。
【０００２】
【従来の技術】光ケーブルは一般に、光ファイバ心線と、抗張力線と、外被などから構成されている。光ケーブルを、光ファイバ心線接続部や切替接続器などを収納する函体に引き込む場合には、光ケーブルの端部の外被を剥いで光ファイバ心線及び抗張力線を露出させた後、抗張力線を適当な長さに切断して、抗張力線と外被端部を基板（函体の背面板など）に固定する必要がある。
【０００３】従来、光ケーブルの端末を基板に固定する固定具としては、光ケーブル端末の抗張力線を挿入する孔を有し、孔に挿入された抗張力線にネジで固定される引留ブロックと、この引留ブロックを光ケーブル方向に移動しないように保持する固定台とからなるものが公知である（例えば特許文献１参照）。
【０００４】
【特許文献１】特開平１０−３３２９４７号公報
【０００５】
【発明が解決しようとする課題】しかしながら従来の光ケーブル端末固定具には、次のような問題がある。
（ａ）  固定台の引留ブロックを保持する部分は、引留ブロックの両端面を、光ケーブル方向に移動しないように拘束する構造であり、引留ブロックが光ケーブルの回転に伴って回転するのを阻止する機能は有していない。光ケーブルの回転を阻止するのは専ら光ケーブルの外被部分を固定台に縛りつけるバンド（商品名「タイラップ」）である。このため光ケーブルの回転を阻止する力が弱く、光ケーブルに回転力（捻り）が加わると、引留ブロックも回転してしまい、光ファイバ心線に無理な曲げ応力がかかるおそれがある。また設置後に引留ブロックが回転すると、抗張力線を締め付けているネジの頭が、付近の光ファイバ心線に引っ掛かり、光ファイバ心線を損傷させたり、切断したりするおそれがある。さらに引留ブロックが回転可能であると、設置の際に、引留ブロックを固定台の保持部にセットし、ネジを締め付けて引留ブロックを抗張力線に固定するときに、ドライバの押付け力で引留ブロックが回転して、ネジの頭又はドライバで付近の光ファイバ心線を損傷又は切断するおそれもある。
（ｂ）  引留ブロックの光ケーブル方向の移動を阻止する壁が、引留ブロックの両端側に設けられているため、固定台の長さ寸法を小さくすることが難しい。
（ｃ）  抗張力線をアースに落とす場合は、引留ブロックの側面に接地線をネジ止めする構造であるため、接地線が光ファイバ心線の配線の邪魔になりやすい。
【０００６】本発明の目的は、以上のような課題を解決した光ケーブル端末固定具を提供することにある。
【０００７】
【課題を解決するための手段】この目的を達成するため本発明は、光ケーブル端末の抗張力線を挿入する孔を有し、孔に挿入された抗張力線にネジで固定される引留ブロックと、この引留ブロックを光ケーブル方向に移動しないように保持する固定台とを備えた光ケーブル端末固定具において、
前記引留ブロックの、抗張力線挿入孔及びネジを含む平面の両側又は片側の側面に、ネジと同方向に、凹溝又は凸条を形成し、
前記固定台に、前記引留ブロックがセットされる部分の両側で相対するように一対の側壁を形成し、この一対の側壁の内面に、前記引留ブロックの凹溝又は凸条とスライド係合する凸条又は凹溝を形成した、
ことを特徴とするものである。
【０００８】本発明の光ケーブル端末固定具において、抗張力線を接地する必要のある場合には、引留ブロックの抗張力線挿入孔を抗張力線と接地線の両方を挿入できる大きさとし、抗張力線に引留ブロックを固定するネジを抗張力線挿入孔方向に間隔をあけて２つ設け、光ケーブル側のネジで抗張力線挿入孔に挿入された抗張力線を締め付け、他方のネジで抗張力線挿入孔に抗張力線と反対側から挿入された接地線を抗張力線と共に締め付けるようにすることが好ましい。
【０００９】また本発明の光ケーブル端末固定具において、固定台を基板（函体の背面板など）に取り付ける構造は、特に限定されないが、次のような構造にすることが好ましい。すなわち、前記固定台は、基板側の面に、固定台の長手方向に間隔をあけて、二つのＬ形突片を固定台の幅方向に平行に形成し、かつ前記固定台の長手方向の中間部に、一端が固定台と一体化され他端が自由端となっている弾性片を固定台の幅方向に形成すると共に、その弾性片の自由端側に前記固定台の基板と接触する平面よりも基板側に突出する突起を形成したものからなり、
前記基板は、前記二つのＬ形突片が入る二つのスロットと前記弾性片の突起が入る穴とを設けたものからなり、
前記二つのスロットは、そこに入った二つＬ形突片が固定台の幅方向に移動できる長さを有していて、その長さ方向の一端側は二つのＬ形突片を一つずつ又は同時に差し込むことができるように形成され、他端側は一端側に差し込まれた二つのＬ形突片を他端側へ移動させると二つのＬ形突片の先端側張出し部が基板の裏側に引っ掛かるように形成されており、
前記突起が入る穴は、前記二つのＬ形突片がスロットの他端側にきたときに突起が落ち込む位置に形成されており、前記スロットの一端側に差し込まれた二つのＬ形突片をスロットの他端側へ移動させ、突起を穴に落ち込ませると、前記固定台の幅方向の移動が阻止されるようになっている、
ものであることが好ましい。
【００１０】
【発明の実施の形態】以下、本発明の実施の形態を、図面を参照して詳細に説明する。
【００１１】
〔実施形態１〕  図１は本発明の一実施形態を示す。光ケーブル端末固定具は、光ケーブル１０の端末の抗張力線２０に取り付けられる引留ブロック２２と、この引留ブロック２２を取り付けた光ケーブル１０の端末を固定する固定台１２とから構成される。固定台１２は基板１４に取り付けられる。基板１４は例えば光ケーブル１０が導入される函体の背面板であるが、それ以外のものであってもよい。
【００１２】光ケーブル１０は、端部の外被１６を剥いで光ファイバ心線１８及び抗張力線２０を露出させ、抗張力線２０を引留に必要な長さに切断してある。
【００１３】引留ブロック２２は、中心に光ケーブル端末の抗張力線２０を挿入する孔２６を設けた円柱状のもので、前記孔２６に挿入された抗張力線２０にネジ２４によって固定されるようになっている。抗張力線挿入孔２６とネジ２４の軸線は直交しており、引留ブロック２２の、抗張力線挿入孔２６及びネジ２４を含む平面の両側の側面には、ネジ２４と同方向に、凹溝２８が形成されている。凹溝２８の底面は平面である。
【００１４】固定台１２は光ケーブル１０の方向に長く、その一端側には前記引留ブロック２２がセットされる部分の両側で相対するように一対の側壁３０が一体に形成されており、他端側には光ケーブル１０の外被１６の部分を締め付けるバンド（図示せず）を通すためのバンド穴３２が形成されている。また一対の側壁３０の内面には側壁の高さ方向に凸条３４が形成されている。凸条３４は、引留ブロック２２を一対の側壁３０の間に装着したときに、引留ブロック２２の凹溝２８に入って、引留ブロック２２の軸線方向の移動を阻止すると共に回転を阻止するものである。また固定台１２の光ケーブル１０側の面の長手方向中間部は、光ケーブル１０の外被１６を載せる部分（バンド穴３２を形成した部分）よりも凹ませてある。これは、抗張力線２０と固定台１２の間に配線スペースを確保し、抗張力線２０の下側にくる光ファイバ心線１８を無理なく配線できるようにするためである。
【００１５】固定台１２に光ケーブル１０の端末を固定するには、まず固定台１２を基板１４に取り付けた後、光ケーブル１０の抗張力線２０を挿通した引留ブロック２２を、凹溝２８を凸条３４に沿ってスライドさせるようにして、固定台１２の両側壁３０の間に装着すると共に、バンド穴３２に予め通してあるバンド（図示せず）で光ケーブル１０の外被１６の部分を締め付ける。最後にネジ２４を締め付けて引留ブロック２２を抗張力線２０に固定すればよい。
【００１６】このようにすると、引留ブロック２２の凹溝２８と固定台１２の凸条３４が係合するので、光ケーブル１０に引張り力又は押込み力がかかっても引留ブロック２２が光ケーブル方向に移動することがなく、光ケーブル１０を確実に引き留めることができる。また引留ブロック２２は凹溝２８と凸条３４の係合により両側壁３０内で回転できないため、光ケーブル１０に外部から回転力が加わっても引留ブロック２２が回転することはない。このため固定台１２上で光ケーブル１０の端末が回転するおそれがなく、したがって光ファイバ心線１８に無理な曲げ応力がかかるおそれがなく、またネジ２４の頭が光ファイバ心線に引っ掛かるおそれもないため、光ファイバ心線１８の保護が確実である。さらに設置の際に、ネジ２４を締め付けるときに引留ブロック２２が回転しないため、誤ってネジの頭やドライバで光ファイバ心線を損傷又は切断するおそれもない。また引留ブロック２２は、固定台１２の一端側に設けた一対の側壁３０の間に装着されるようになっているため、固定台１２の長さ寸法を従来よりも小さくできる。このため、固定台１２を小型化でき、函体内などでの光ファイバ心線１８の配線スペースを広くとることができる。
【００１７】なお、光ケーブル１０の端末の固定台１２への取付けは、固定台１２を基板１４に取り付けた後に行なう。固定台１２の基板１４への取付けは、従来のようにネジ止めで行なうこともできるが、この実施形態では次のような取付け構造を採用している。
【００１８】すなわち、図１及び図２に示すように、固定台１２の基板１４側の面には、一端側に第一のＬ形突片３６Ａが、他端側に第二のＬ形突片３６Ｂが形成されている。二つのＬ形突片３６Ａ、３６Ｂは固定台１２の幅方向に平行に形成されている。第一のＬ形突片３６Ａは固定台１２の全幅にわたって形成されているが、第二のＬ形突片３６Ｂは固定台１２の幅方向の中央部に固定台１２の幅より狭い幅で形成されている。二つのＬ形突片３６Ａ、３６Ｂの先端側張出し部３８は互いに反対方向に（外向きに）張り出すように形成されている。
【００１９】また固定台１２の長手方向の中間部には、一端が固定台１２と一体化され他端が自由端となっている弾性片４０が固定台１２の幅方向に形成されている。この弾性片４０の自由端には、固定台１２の基板１４と接触する平面Ｐ（図２参照）よりも基板１４側に突出する突起４２が形成されている。また弾性片１２の自由端には弾性片１２の延長方向に指掛け部４４が突設されている。弾性片４０は、突起４２及び指掛け部４４が固定台１２の側面から若干突出するが、弾性変形する部分が固定台１２の幅内に収まるように形成されている。これは、固定台１２の側方への出っ張りを小さくして、固定台１２の設置スペースを小さくするためである。なお弾性片４０は、弾性変形する部分だけでなく突起４２の部分まで固定台１２の幅内に収まるように形成することもできる。指掛け部４４は固定台１２の側面から突出させておくことが好ましい。
【００２０】一方、基板１４には、前記固定台１２の二つのＬ形突片３６Ａ、３６Ｂが入る二つのスロット４６Ａ、４６Ｂと、弾性片４０の突起４２が入る穴４８とが形成されている。
【００２１】二つのスロット４６Ａ、４６Ｂは、そこに入ったＬ形突片３６Ａ、３６Ｂがそれぞれ固定台１２の幅方向に所定の距離だけ移動できる長さｖ１、ｖ２を有している（図２参照）。第一のＬ形突片３６Ａが入る方のスロット４６Ａは、一端から他端まで同じ幅ｗ１で形成され、その幅ｗ１はＬ形突片３６Ａの脚部の厚さｔ１より広く、足裏部の長さｕ１より狭く設定されている。第二のＬ形突片３６Ｂが入る方のスロット４６Ｂは、一端側がＬ形突片３６Ｂの足裏部の長さｕ２より広い幅ｗ３に、他端側がＬ形突片３６Ｂの脚部の厚さｔ２より広く、足裏部の長さｕ２より狭い幅ｗ２に形成されている。
【００２２】スロット４６Ａの幅ｗ１は、第一のＬ形突片３６Ａの先端側張出し部３８をくぐらす必要があるので、Ｌ形突片３６Ａの脚部の厚さｔ１より大きく設定されている。一方、スロット４６Ｂの幅ｗ２は第二のＬ形突片３６Ｂの脚部の厚さｔ２と同じかそれより僅かに大きい程度とする。これは固定台１２を基板１４に取り付けたときのガタツキを小さくするためである。また二つのスロット４６Ａ、４６Ｂの内辺間の距離Ｅは、二つのＬ形突片３６Ａ、３６Ｂの内面間の距離Ｄと同じかそれより僅かに大きい程度とする。これは固定台１２を基板１４に取り付けたときに、第一のＬ型突片３６Ａの内面Ｆがスロット４６Ａの内側の内面Ｇに接するようにするためである。
【００２３】二つのＬ形突片３６Ａ、３６Ｂを二つのスロット４６Ａ、４６Ｂに差し込むときは、まず固定台１２を第一のＬ形突片３６Ａ側が基板１４に近づくように傾けながら、第一のＬ形突片３６Ａをその先端側張出し部３８から第一のスロット４６Ａに差し込む（図１の矢印ａ）、次に固定台１２の傾きを直すようにして、第二のＬ形突片３６Ａを第二のスロット４６Ｂの一端側に差し込む（矢印ｂ）。この段階では図３（イ）、（ロ）に示すように、第一のＬ形突片３６Ａの先端側張出し部３８が基板１４の裏側に引っ掛かるが、第二のＬ形突片３６Ｂの先端側張出し部３８は基板１４の裏側に引っ掛かっていない。この後、固定台１２を矢印ｃ方向に押して、二つのＬ形突片３６Ａ、３６Ｂをスロット４６Ａ、４６Ｂの他端側へ移動させると、図４（イ）（ロ）に示すように、二つのＬ形突片３６Ａ、３６Ｂの先端側張出し部３８が両方とも基板１４の裏側に引っ掛かるようになる。
【００２４】一方、弾性片４０の突起４２が入る穴４８は、前記二つのＬ形突片３６Ａ、３６Ｂが二つのスロット４６Ａ、４６Ｂの他端側にきたときに、突起４８が落ち込む位置に形成されている。つまり、図３の段階では、同図（ハ）に示すように突起４８が基板１４の表面に押し付けられ、弾性片４０が弾性変形しており、図４のように二つのＬ形突片３６Ａ、３６Ｂが二つのスロット４６Ａ、４６Ｂの他端側にきたときに初めて同図（ハ）のように突起４２が弾性片４０の弾性復元力で穴４８に落ち込むことになる。突起４２が穴４８に落ち込むときには、パチッという手応えがあるので、Ｌ形突片３６Ａ、３６Ｂが適正位置まで移動したことを確認できる。突起４２が穴４８に落ち込むと、固定台１２は幅方向に移動できなくなるため、図４の状態、すなわち二つのＬ形突片３６Ａ、３６Ｂの先端側張出し部３８が両方とも基板１４の裏側に引っ掛かった状態が保持される。これによって固定台１２が基板１４から外れなくなる。
【００２５】以上のようのような取付け構造を採用すれば、ネジを用いることなく、固定台１２を簡単に基板１４に取り付けることができる。なお固定台１２基板１４から取り外す必要が生じたときは、指掛け部４４を手指で手前に引き、弾性片４０を弾性変形させて、突起４２を穴４８から脱出させた後、取付け時と反対の手順を踏めばよい。
【００２６】以上の実施形態では、固定台１２の二つのＬ形突片３６Ａ、３６Ｂの先端側張出し部３８を互いに反対側に向けて張り出させたが、第二のＬ形突片３６Ｂの先端側張出し部３８は第一のＬ形突片３６Ａの先端側張出し部３８と同方向に張り出させてもよい。その場合は、基板１４の第二のスロット４６Ｂの形を反転した形にすればよい。また第一のスロット４６Ａの一端側を、第一のＬ形突片３６Ａがそのまま入るように幅を広くしておけば、二つのＬ形突片３６Ａ、３６Ｂを同時に二つのスロット４６Ａ、４６Ｂに差し込むことができる。その後、ｃ方向に移動させれば上記実施形態とほぼ同様な取付け状態を得ることができる。
【００２７】
〔実施形態２〕  図５は本発明の他の実施形態を示す。この光ケーブル端末固定具は、凹溝と凸条の関係を、実施形態１の場合と反対にしたものである。すなわち、引留ブロック２２の両側面に凸条５０を形成し、固定台１２の両側壁３０の内面に前記凸条５０が入る凹溝５２を形成したものである。それ以外の構成及び作用効果は実施形態１と同じであるので、同一部分には同一符号を付して説明を省略する。
【００２８】
〔実施形態３〕  図６は本発明のさらに他の実施形態を示す。この実施形態は抗張力線２０に接地線５４を接続する場合である。この場合は、引留ブロック２２の抗張力線挿入孔２６を、抗張力線２０と接地線５４の両方が挿入できる大きさとし、引留ブロック２２に、抗張力線挿入孔２６方向に間隔をあけて２つのネジ２４Ａ、２４Ｂを設ける。引留ブロック２２の抗張力線挿入孔２６には一端側から抗張力線２０を挿入し、貫通させて、一端側のネジ２４Ａで抗張力線２０を締め付ける。次に他端側から孔２６に接地線５４を挿入した後、他端側のネジ２４Ｂで接地線５４を抗張力線２０と共に締め付ける。これで抗張力線２０と接地線５４が電気的に接続されるので、あとは実施形態１と同様に固定台に取り付ければよい。
【００２９】従来の光ケーブル端末固定具では、接地線を引留ブロックの側面にネジ止めする構造であるため、接地線が光ファイバ心線を配線する際に邪魔になっていたが、図６のような構造にすると、接地線５４が引留ブロック２２の端面から引き出されるので、光ファイバ心線の配線に邪魔になることがなく、光ファイバ心線の配線の自由度が向上する。また抗張力線は２つのネジで締め付けられるため、抗張力線の引留力が大きくなり、信頼性が向上する。
【００３０】
〔その他の実施形態〕  以上の実施形態では引留ブロックが円柱状のものである場合を説明したが、引留ブロックは、四角柱状、六角柱状、八角柱状など、偶数角柱状のものであってもよい。
また上記の実施形態では、引留ブロックの、抗張力線挿入孔及びネジを含む平面の両側の側面に、凹溝又は凸条を形成したが、凹溝又は凸条は引留ブロックの片側の側面だけに形成してもよい。この場合は、固定台側の一対の側壁の片方に、前記凹溝又は凸条に対応する凸条又は凹溝を形成すればよい。
【００３１】
【発明の効果】以上説明したように本発明によれば、光ケーブル端末の抗張力線にネジ止めされる引留ブロックが、固定台の一対の側壁の間に装着されると回転できない状態となるため、設置の際にネジを締め付けるときにも、設置後に光ケーブルに外部から回転力が加わっても、固定台上で引留ブロック及び光ケーブル端末が回転するおそれがない。したがって設置の際にネジを締め付けるときにネジの頭やドライバで光ファイバ心線を損傷又は切断するおそれがなく、また設置後に光ファイバ心線に無理な曲げ応力がかかったり、ネジの頭が引っ掛かったりするおそれもないので、光ファイバ心線の保護が確実である。また引留ブロックは、固定台の一端側に設けた一対の側壁の間に装着されるようになっているため、固定台の長さ寸法を従来よりも小さくでき、固定台を小型化できる。
【図面の簡単な説明】
【図１】本発明に係る光ケーブル端末固定具の一実施形態を示す分解斜視図。
【図２】（イ）は図１の端末固定具を構成する固定台の側面図、（ロ）は（イ）の固定台を取り付ける基板の正面図。
【図３】固定台を基板に取り付ける途中の段階を示す、（イ）は正面図、（ロ）は側面図、（ハ）は（イ）のハ−ハ線断面図。
【図４】固定台を基板に取り付けた状態を示す、（イ）は正面図、（ロ）は側面図、（ハ）は（イ）のハ−ハ線断面図。
【図５】本発明に係る光ケーブル端末固定具の他の実施形態を示す分解斜視図。
【図６】本発明に係る光ケーブル端末固定具のさらに他の実施形態における引留ブロックを示す、（イ）は斜視図、（ロ）は断面図。
【符号の説明】
１０：光ケーブル
１２：固定台
１４：基板
１６：外被
１８：光ファイバ心線
２０：抗張力線
２２：引留ブロック
２４、２４Ａ、２４Ｂ：ネジ
２６：抗張力線挿入孔
２８：引留ブロック２２の凹溝
３０：側壁
３４：側壁３０の凸条
５０：引留ブロック２２の凸条
５２：側壁３０の凹溝
５４：接地線
【図１】
2004212840.tif 000003
【図２】
2004212840.tif 000004
【図３】
2004212840.tif 000005
【図４】
2004212840.tif 000006
【図５】
2004212840.tif 000007
【図６】
2004212840.tif 000008